(57)【要約】【課題】保護シートを緊張させて綺麗に張設することが出来、植物支柱を安定に支えることが出来、強風にあって揺れ動くことなく、外観を損なうことなくプランターに搭載し固定することが出来る分解・組立自在な植栽植物保護装置を得る。【解決手段】彎曲可能なプラスチック製網目板１１と、その彎曲した網目板の彎曲方向において向き合う内側周面３２Ａ・３２Ｂに密着する周縁２２・２２を向き合う両側に有する規制盤２１と、規制盤の周縁と網目板の内側周面の密着状態を維持する固定材３１によって植栽植物保護装置を構成する。植栽植物保護装置は、端縁同士が向き合う方向に網目板を折り曲げ、その彎曲した網目板に固定材袋３１Ａを被せて網目板を彎曲状態に維持し、その向き合う端縁間に規制盤を挿入し、規制盤の周縁２２を彎曲した網目板の内面に彎曲方向に沿って密着させて組み立て、簡易温室等として植栽植物に被せて使用する。【選択図】図８
2009159877.tif 000002
【特許請求の範囲】
【請求項１】
（イ）  彎曲可能なプラスチック製網目板（１１）と、その彎曲した網目板（１１）の彎曲方向において向き合う内側周面（３２Ａ）と内側周面（３２Ｂ）に密着する周縁（２２・２２）を向き合う両側に有する規制盤（２１）と、規制盤の周縁（２２）と網目板の内側周面（３２）との密着状態に維持する固定材（３１）とから成る分解・組立自在な植栽植物保護装置。
【請求項２】
（ロ）  向き合う端縁（１２）と端縁（１２）が向き合う方向に網目板（１１）が折り曲げられて彎曲しており、
（ハ）  規制盤（２１）の周縁（２２）が網目板（１１）の彎曲方向に沿って彎曲した網目板（１１）の内面に密着し、
（ニ）  規制盤の周縁（２２）によって網目板（１１）の彎曲量が規制されており、
（ホ）  網目板（１１）の規制盤（２１）に密着した彎曲状態が網目板（１１）の外側から固定材（３１）によって固定されている前掲請求項１に記載の植栽植物保護装置。
【請求項３】
（へ）  規制盤（２１）と固定材（３１）がプラスチックに成り、
（ト）  周縁（２２）に囲まれる規制盤（２１）の内部に空隙口（２３）が形成されており、
（チ）  その空隙口（２３）の内部空隙の総面積が規制盤（２１）の表面積の３０％以上を占めている前掲請求項１と２の何れかに記載の植栽植物保護装置。
【請求項４】
（リ）  固定材（３１）が一辺を開口とする袋（３１Ａ）によって構成されており、
（ヌ）  その固定材袋（３１Ａ）の内部に彎曲した網目板（１１）が納められており、
（ル）  固定材袋（３１Ａ）の無端状に続く内側周面（３２）に網目板（１１）が弾性的に密着している前掲請求項１〜３の何れかに記載の植栽植物保護装置。
【請求項５】
（オ）  網目板の折り曲げられて向き合う２つの端縁（１２・１２）にそれぞれ直交して彎曲する彎曲端縁（１３・１３）に、溝底（１５・１５）が網目板が折り曲げられて向き合い、規制盤の周縁（２２）が嵌合する嵌合溝（１４・１４）が設けられており、
（ワ）  網目板が、Ｕ字形に折り曲げられ、その彎曲部（１６）を固定材袋（３１Ａ）の底部（３３）に向けて、固定材袋（３１Ａ）に納められており、
（カ）  規制盤（２１）が、網目板（１１）のＵ字形に折り曲げられて向き合う彎曲端縁と彎曲端縁（１３・１３）の間に挟み込まれており、
（ヨ）  規制盤の周縁（２２）が、彎曲端縁（１３）の嵌合溝（１４）に嵌合している前掲請求項４に記載の植栽植物保護装置。
【請求項６】
（タ）  先端に止め孔（２４）を有する突起（２５）が、周縁（２２）の外側に向けて規制盤（２１）から突出しており、
（レ）  その突起（２５）が、網目板（１１）に設けられた差込孔（１７）に差し込まれており、
（ソ）  その先端の止め孔（２４）が、網目板（１１）の外側に突き出ており、
（ツ）  固定材（３１）が、その止め孔（２４）に嵌合する止め桿（３１Ｂ）を構成している前掲請求項１〜３の何れかに記載の植栽植物保護装置。
【請求項７】
（ネ）  複数枚の網目板（１１Ａ・１１Ｂ）の端縁（１２Ａ）と端縁（１２Ｂ）が、繋ぎ材（４１）を介して連結されており、
（ナ）  繋ぎ材（４１）が、Ｕ字形断面の溝材（４２）と、複数個の舌片（５１）が櫛歯に連続して突き出た押さえ材（５２）と、複数個の舌片（５１・５１……）の先端に連続して係合する係合桿（６２）とから成り、
（ラ）  溝材（４２）が、Ｕ字形断面を成し、
（ム）  そのＵ字形断面を成す溝を間に挟んで向き合う起立壁（４３Ａ・４３Ｂ）に、網目板（１１）の網目と網目（１８・１８）を仕切る複数個の仕切材（１９）がそれぞれ嵌合する複数個の嵌込溝（４４）が設けられており、
（ウ）  押さえ材（５２）の舌片（５１）が嵌合する差込孔（４５）が、起立壁（４３）の嵌込溝と嵌込溝（４４・４４）の間の部分に、溝材（４２）の軸芯に直交する方向に向けて開けられており、
（ヒ）  押さえ材の舌片（５１）の突出長さ（ｈ）が、向き合う起立壁（４３Ａ・４３Ｂ）の差込孔と差込孔（４５Ａ・４５Ｂ）を貫通して溝材（４２）の外側に舌片（５１）の先端を突き出る所要の長さになっている前掲請求項１〜６の何れかに記載の植栽植物保護装置。
【請求項８】
（ノ）  １枚の網目板（１１）の向き合う端縁と端縁（１２Ａ・１２Ｂ）、又は、隣り合わせに配置されて向き合う２枚の網目板（１１Ａ・１１Ｂ）の端縁と端縁（１２Ａ・１２Ａ）を繋ぎ材（４１）によって連結されており、
（オ）  その網目板の向き合う２つの端縁（１２Ａ・１２Ｂ）が、仕切材（１９）と網目（１８）によって構成される網目板本体へと続くウエブ（７１）と網目板本体から突き出たフランジ（７２）によってＬ形断面形状に構成されており、
（ク）  複数個の連結孔（７３）が端縁（１２）の長さ方向に沿ってフランジ（７２）に連設されており、
（ヤ）  繋ぎ材（４１）が、それらの連結孔（７３）に嵌合する複数個の舌片（４６）を軸桿（４７）に連設して成り、
（マ）  繋ぎ材の舌片（４６）の先端側に係合孔（４８）が設けられており、
（ケ）  網目板の向き合う２つの端縁（１２Ａ・１２Ｂ）の一方の端縁（１２）のウエブ（７１）に、繋ぎ材の舌片（４６）の係合孔（４８）に嵌合する複数個の爪（７４）が、先端（７７）をフランジ（７２）の突出方向に向けて端縁（１２）の長さ方向に連設されており、
（フ）  繋ぎ材の隣り合う舌片と舌片（４６・４６）の間と、網目板の端縁の隣り合う連結孔と連結孔（７３・７３）の間と、網目板の端縁のウエブの爪と爪（７４・７４）の間が、同じ間隔になっている前掲請求項１〜６の何れかに記載の植栽植物保護装置。
【請求項９】
（コ）  連結孔（７３）がウエブ（７１）とフランジ（７２）の交わるコーナー部分に設けられており、
（エ）  係合孔（４８）の舌片の先端側の内縁（４９）から軸桿（４７）までの距離（ｋ）が、向き合う２つの端縁（１２Ａ・１２Ｂ）のフランジとフランジ（７２Ａ・７２Ｂ）の合計厚み（ｔ）と爪（７４）の網目板本体側の起立面（７５）からフランジ（７２）までの距離（ｓ）との合計寸法（ｔ＋ｓ）に等しい前掲請求項８に記載の植栽植物保護装置。
【請求項１０】
（テ）  爪（７４）の網目板本体側の起立面（７５）に対応するフランジ側の面（７６）が、爪（７４）の先端（７７）からウエブ（７１）へと続く斜面（７６）になっている前掲請求項８と９の何れかに記載の植栽植物保護装置。
【請求項１１】
（ア）  １枚の網目板（１１）の向き合う端縁と端縁（１２Ａ・１２Ｂ）、又は、隣り合わせに配置されて向き合う２枚の網目板（１１Ａ・１１Ｂ）の端縁と端縁（１２Ａ・１２Ａ）を繋ぎ材（４１）によって連結されており、
（サ）  繋ぎ材（４１）が、複数個の舌片（４６）が櫛歯に連続して突き出た軸桿（４７）と、その舌片（４６）の数に応じた複数個の爪（７４）が突出した保持桿（５０）とから成り、
（キ）  その舌片（４６）の先端側には、保持桿（５０）の爪（７４）が嵌合する係合孔（４８）が設けられており、
（ユ）  網目板の向き合う２つの端縁（１２Ａ・１２Ｂ）が、仕切材（１９）と網目（１８）によって構成される網目板本体へと続くウエブ（７１）と網目板本体から突き出たフランジ（７２）によってＬ形断面形状に構成されており、
（メ）  繋ぎ材（４１）の舌片（４６）が嵌合する複数個の連結孔（７３）が、端縁（１２）の長さ方向に沿って網目板のフランジ（７２）に連設されており、
（ミ）  軸桿（４７）の隣り合う舌片と舌片（４６・４６）の間と、保持桿（５０）の爪と爪（７４・７４）の間と、網目板のフランジ（７２）の隣り合う連結孔と連結孔（７３・７３）の間が、同じ間隔になっている前掲請求項１〜６の何れかに記載の植栽植物保護装置。
【請求項１２】
（シ）  １枚の網目板（１１）の向き合う端縁と端縁（１２Ａ・１２Ｂ）、又は、隣り合わせに配置されて向き合う２枚の網目板（１１Ａ・１１Ｂ）の端縁と端縁（１２Ａ・１２Ａ）が突き合わされて連結されており、
（エ）  その網目板の向き合う２つの端縁（１２Ａ・１２Ｂ）が、仕切材（１９）と網目（１８）によって構成される網目板本体へと続くウエブ（７１）と網目板本体から突き出たフランジ（７２）によってＬ形断面形状に構成されており、
（ヒ）  網目板（１１）の向き合う２つの端縁（１２Ａ・１２Ｂ）の一方の端縁（１２Ａ）のフランジ（７２Ａ）に、複数個の連結孔（７３）が、その端縁（１２Ａ）の長さ方向に沿って連設されており、
（モ）  その一方の端縁（１２Ａ）のウエブ（７１Ａ）に、複数個の爪（７４）が、その先端をフランジ（７２Ａ）の突出方向に向け、フランジ（７２Ａ）の連結孔（７３）に向かい合わせになって、端縁（１２Ａ）の長さ方向に連設されており、
（セ）  その向き合う２つの端縁（１２Ａ・１２Ｂ）の他方の端縁（１２Ｂ）のフランジ（７２Ｂ）に、その一方の端縁（１２Ａ）の連結孔（７３）に嵌合する複数個の舌片（４６）が、先端を仕切材（１９）と網目（１８）によって構成される網目板本体の外側に向け、端縁（１２Ｂ）の長さ方向に沿って連設されており、
（ス）  その舌片（４６）の先端側には、一方の端縁（１２Ａ）のウエブ（７１Ａ）の爪（７４）に嵌合する係合孔（４８）が設けられており、
（ン）  一方の端縁（１２Ａ）のウエブ（７１Ａ）の爪と爪（７４・７４）の間と、一方の端縁（１２Ａ）のフランジ（７２Ａ）の隣り合う連結孔と連結孔（７３・７３）の間と、他方の端縁（１２Ｂ）のフランジ（７２Ｂ）の隣り合う舌片と舌片（４６・４６）の間が、同じ間隔になっている前掲請求項１〜６の何れかに記載の植栽植物保護装置。
【請求項１３】
（ド）  網目板（１１）の端縁（１２）にフランジ（７２）が付設されており、
（ガ）  規制盤（２１）の突出端（２６）が嵌合する差込孔（１７）が網目板１１に付設されており、
（ダ）  網目板（１１）の差込孔（１７）に差し込まれて突き出た規制盤（２１Ａ）の突出端（２６）の先端部分に、止め桿（３１Ａ）を差し込む止め孔（２４）が付設されている前掲請求項１〜１２の何れかに記載の植栽植物保護装置。
【請求項１４】
（ゾ）  網目板（１１）の端縁（１２）のフランジ（７２）が折り返されてリブ（７８）を構成している前掲請求項１３に記載の植栽植物保護装置。
【請求項１５】
（ズ）  規制盤（２１Ａ）の突出端（２６）が嵌合する網目板（１１）の差込孔（１７）が、端縁（１２）に直交する方向に長い細長孔である前掲請求項１３〜１４の何れかに記載の植栽植物保護装置。
【請求項１６】
（グ）  網目板（１１）の表面積に占める網目（１８）の合計面積の面積比率が５０％以上である前掲請求項１〜１５の何れかに記載の植栽植物保護装置。
【発明の詳細な説明】
【技術分野】
【０００１】
本発明は、植物支柱、遮光ネット支枠、防虫ネット支枠、防霜シート支枠、プランター支台、遮光板、防虫ネット、簡易温室等の植栽植物を保護するために使用される装置に関するものである。
【背景技術】
【０００２】
植栽植物を太陽光から保護する遮光ネット、害虫から保護する防虫ネット、雪霜・寒気から保護する防霜シート等の保護シートは、植栽植物を囲んで構築した枠体に植栽植物を包み込むように被せて使用される。
【０００３】
その枠体は、植物の幹を支える支柱に代用し、或いは、植物の幹を支えるために地面に立てた支柱を支える補強支材に使用されることもある。
【０００４】
枠体の多くは、地面に立てる２〜４本の柱桿と、それらの柱桿の先端部と先端部の間を連結する連結桿とで組み立てられる（例えば、特許文献１、２、３、４、５、６、７参照）。
【０００５】
枠体に保護シートを接合するためにはクリップ等が使用される（例えば、特許文献８参照）。防霜シートには概して厚みが５０μｍ以下のプラスチックフイルムが使用されている。
【０００６】
【特許文献１】特開平０７−２８４３４６号公報（特許第２，６０４，３２２号）
【特許文献２】実開平０５−０８５２４０号公報
【特許文献３】実開平０６−０１９４３５号公報
【特許文献４】実開平０６−０２４４５２号公報
【特許文献５】実開平０７−０１３１２５号公報
【特許文献６】実用新案登録第３，００８，９２１号公報
【特許文献７】実用新案登録第３，１１４，３９３号公報
【特許文献８】特開平０７−０７５４５１号公報（特許第２，５４８，０８０号）
【発明の開示】
【発明が解決しようとする課題】
【０００７】
枠体に被せられた保護シートは、枠体の形状に応じた外観を呈することになるが、特に通風性を欠く防霜シートでは、強風にあおられて枠体と共に揺れ動き、緊張して張設されたものでは弛み皺が発生して見苦しい外観を呈することになる。
保護シートを使用することなく、それ自体を植物の幹を支える支柱とする場合でも、枠体は強風にあおられて揺れ動き易く、それを立ち上げるために差し込んだ地面の穴が広がって枠体全体が傾斜し、或いは、倒れる等、地面に起立した状態が不安定になる。
【０００８】
振れを少なくし、枠体を安定に支えるために、枠体をプランターの周縁に係止する方法もあるが（例えば、特許文献２、４、５、７参照）、柱桿を差し込むために開けた差込孔によってプランターの外観が損なわれる。
【０００９】
柱桿や連結桿を接合して枠体を構築するには手間暇を要し、それを接合するために使用する針金等の治具に触れて保護シートが破れる。
加えて、保護シートを緊張させて綺麗に張設することは難しく、弛み皺が発生が発生し易いので、観葉植物等では、保護シートによって美観が損なわれる。
【００１０】
そこで本発明は、平板な部材によって立体的に構成することが出来、保護シートを緊張させて綺麗に張設することが出来、植物支柱を安定に支えることが出来、強風にあって揺れ動くことなく、外観を損なうことなくプランターに搭載し固定することが出来る植栽植物保護装置を得ることを目的とする。
【課題を解決するための手段】
【００１１】
本発明の特徴は、平板な部材によって立体的な植栽植物保護装置が得られる点にあり、（イ）  彎曲可能なプラスチック製網目板１１と、その彎曲した網目板１１の彎曲方向において向き合う内側周面３２Ａと内側周面３２Ｂに密着する周縁２２・２２を向き合う両側に有する規制盤２１と、規制盤の周縁２２と網目板の内側周面３２との密着状態に維持する固定材３１とから成ることを第１の特徴とする。
【００１２】
本発明に係る植栽植物保護装置の第２の特徴は、上記第１の特徴に加えて、（ロ）  向き合う端縁１２と端縁１２が向き合う方向に網目板１１が折り曲げられて彎曲しており、（ハ）  規制盤２１の周縁２２が網目板１１の彎曲方向に沿って彎曲した網目板１１の内面に密着し、（ニ）  その規制盤２１の周縁２２によって網目板１１の彎曲量が規制されており、（ホ）  その網目板１１の規制盤２１に密着した彎曲状態が網目板１１の外側から固定材３１によって固定されている点にある。
【００１３】
本発明に係る植栽植物保護装置の第３の特徴は、上記第１および第２の何れかの特徴に加えて、（へ）  規制盤２１と固定材３１がプラスチックに成り、（ト）  周縁２２に囲まれる規制盤２１の内部に空隙口２３が形成されており、（チ）  その空隙口２３の内部空隙の総面積が規制盤２１の表面積の３０％以上を占めている点にある。
【００１４】
本発明に係る植栽植物保護装置の第４の特徴は、上記第１、第２および第３の何れかの特徴に加えて、（リ）  固定材３１が一辺を開口とする袋３１Ａによって構成されており、（ヌ）  その固定材袋３１Ａの内部に彎曲した網目板１１が納められており、（ル）
固定材袋３１Ａの無端状に続く内側周面３２に網目板１１が弾性的に密着している点にある。
【００１５】
本発明に係る植栽植物保護装置の第５の特徴は、上記第４の特徴に加えて、（オ）  網目板の折り曲げられて向き合う２つの端縁１２・１２にそれぞれ直交して彎曲する彎曲端縁１３・１３に、溝底１５・１５が網目板が折り曲げられて向き合い、規制盤の周縁２２が嵌合する嵌合溝１４・１４が設けられており、（ワ）  網目板が、Ｕ字形に折り曲げられ、その彎曲部１６を固定材袋３１Ａの底部３３に向けて、固定材袋３１Ａに納められており、（カ）  規制盤２１が、網目板１１のＵ字形に折り曲げられて向き合う彎曲端縁１３と彎曲端縁１３の間に挟み込まれており、（ヨ）  規制盤の周縁２２が、彎曲端縁１３の嵌合溝１４に嵌合している点にある。
【００１６】
本発明に係る植栽植物保護装置の第６の特徴は、上記第１、第２および第３の何れかの特徴に加えて、（タ）  先端に止め孔２４を有する突起２５が、周縁２２の外側に向けて規制盤２１から突出しており、（レ）  その突起２５が、網目板１１に設けられた差込孔１７に差し込まれており、（ソ）  その先端の止め孔２４が、網目板１１の外側に突き出ており、（ツ）  固定材３１が、その止め孔２４に嵌合する止め桿３１Ｂを構成している点にある。
【００１７】
本発明に係る植栽植物保護装置の第７の特徴は、上記第１、第２、第３、第４、第５および第６の何れかの特徴に加えて、（ネ）  複数枚の網目板１１Ａ・１１Ｂの端縁１２Ａと端縁１２Ｂが、繋ぎ材４１を介して連結されており、（ナ）  繋ぎ材４１が、Ｕ字形断面の溝材４２と、複数個の舌片５１が櫛歯に連続して突き出た押さえ材５２と、複数個の舌片５１・５１……の先端に連続して係合する係合桿６２とから成り、（ラ）  溝材４２が、Ｕ字形断面を成し、（ム）  そのＵ字形断面を成す溝を間に挟んで向き合う起立壁４３Ａ・４３Ｂに、網目板１１の網目１８と網目１８を仕切る複数個の仕切材１９がそれぞれ嵌合する複数個の嵌込溝４４が設けられており、（ウ）  押さえ材５２の舌片５１が嵌合する差込孔４５が、起立壁４３の嵌込溝４４と嵌込溝４４の間の部分に、溝材４２の軸芯に直交する方向に向けて開けられており、（ヒ）  押さえ材の舌片５１の突出長さｈが、向き合う起立壁４３Ａ・４３Ｂの差込孔４５Ａと差込孔４５Ｂを貫通して溝材４２の外側に舌片５１の先端を突き出る所要の長さになっている点にある。
【００１８】
本発明に係る植栽植物保護装置の第８の特徴は、上記第１、第２、第３、第４、第および第６の何れかの特徴に加えて、（ノ）  １枚の網目板１１の向き合う端縁１２Ａと端縁１２Ｂ、又は、隣り合わせに配置されて向き合う２枚の網目板１１Ａ・１１Ｂの端縁１２Ａと端縁１２Ａを繋ぎ材４１によって連結されており、（オ）  その網目板の向き合う２つの端縁１２Ａ・１２Ｂが、仕切材１９と網目１８によって構成される網目板本体へと続くウエブ７１と網目板本体から突き出たフランジ７２によってＬ形断面形状に構成されており、（ク）  複数個の連結孔７３が端縁１２の長さ方向に沿ってフランジ７２に連設されており、（ヤ）  繋ぎ材４１が、それらの連結孔７３に嵌合する複数個の舌片４６を軸桿４７に連設して成り、（マ）  繋ぎ材の舌片４６の先端側に係合孔４８が設けられており、（ケ）  網目板の向き合う２つの端縁１２Ａ・１２Ｂの一方の端縁１２のウエブ７１に、繋ぎ材の舌片４６の係合孔４８に嵌合する複数個の爪７４が、先端７７をフランジ７２の突出方向に向けて端縁１２の長さ方向に連設されており、（フ）  繋ぎ材の隣り合う舌片４６と舌片４６の間と、網目板の端縁の隣り合う連結孔７３と連結孔７３の間と、網目板の端縁のウエブの爪７４と爪７４の間が、同じ間隔になっている点にある。
【００１９】
本発明に係る植栽植物保護装置の第９の特徴は、上記第８の特徴に加えて、（コ）  連結孔７３がウエブ７１とフランジ７２の交わるコーナー部分に設けられており、
（エ）  係合孔４８の舌片の先端側の内縁４９から軸桿４７までの距離ｋが、向き合う２つの端縁１２Ａ・１２Ｂのフランジ７２Ａとフランジ７２Ｂの合計厚みｔと爪７４の網目板本体側の起立面７５からフランジ７２までの距離ｓとの合計寸法（ｔ＋ｓ）に等しい点にある。
【００２０】
本発明に係る植栽植物保護装置の第１０の特徴は、上記第８および第９の何れかの特徴に加えて、（テ）  爪７４の網目板本体側の起立面７５に対応するフランジ側の面（７６）が、爪７４の先端７７からウエブ７１へと続く斜面７６になっている点にある。
【００２１】
本発明に係る植栽植物保護装置の第１１の特徴は、上記第１、第２、第３、第４、第５および第６の何れかの特徴に加えて、（ア）  １枚の網目板１１の向き合う端縁１２Ａと端縁１２Ｂ、又は、隣り合わせに配置されて向き合う２枚の網目板１１Ａ・１１Ｂの端縁１２Ａと端縁１２Ａを繋ぎ材４１によって連結されており、（サ）  繋ぎ材４１が、複数個の舌片４６が櫛歯に連続して突き出た軸桿４７と、その舌片４６の数に応じた複数個の爪７４が突出した保持桿５０とから成り、（キ）  その舌片４６の先端側には、保持桿５０の爪７４が嵌合する係合孔４８が設けられており、（ユ）  網目板の向き合う２つの端縁１２Ａ・１２Ｂが、仕切材１９と網目１８によって構成される網目板本体へと続くウエブ７１と網目板本体から突き出たフランジ７２によってＬ形断面形状に構成されており、（メ）  繋ぎ材４１の舌片４６が嵌合する複数個の連結孔７３が、端縁１２の長さ方向に沿って網目板のフランジ７２に連設されており、（ミ）  軸桿４７の隣り合う舌片４６と舌片４６の間と、保持桿５０の爪７４と爪７４の間と、網目板のフランジ７２の隣り合う連結孔７３と連結孔７３の間が、同じ間隔になっている点にある。
【００２２】
本発明に係る植栽植物保護装置の第１２の特徴は、上記第１、第２、第３、第４、第５および第６の何れかの特徴に加えて、（シ）  １枚の網目板１１の向き合う端縁１２Ａと端縁１２Ｂ、又は、隣り合わせに配置されて向き合う２枚の網目板１１Ａ・１１Ｂの端縁１２Ａと端縁１２Ａが突き合わされて連結されており、（エ）  その網目板の向き合う２つの端縁１２Ａ・１２Ｂが、仕切材１９と網目１８によって構成される網目板本体へと続くウエブ７１と網目板本体から突き出たフランジ７２によってＬ形断面形状に構成されており、（ヒ）  網目板１１の向き合う２つの端縁１２Ａ・１２Ｂの一方の端縁１２Ａのフランジ７２Ａに、複数個の連結孔７３が、その端縁１２Ａの長さ方向に沿って連設されており、（モ）  その一方の端縁１２Ａのウエブ７１Ａに、複数個の爪７４が、その先端をフランジ７２Ａの突出方向に向け、フランジ７２Ａの連結孔７３に向かい合わせになって、端縁１２Ａの長さ方向に連設されており、（セ）  その向き合う２つの端縁１２Ａ・１２Ｂの他方の端縁１２Ｂのフランジ７２Ｂに、その一方の端縁１２Ａの連結孔７３に嵌合する複数個の舌片４６が、先端を仕切材１９と網目１８によって構成される網目板本体の外側に向け、端縁１２Ｂの長さ方向に沿って連設されており、（ス）  その舌片４６の先端側には、一方の端縁１２Ａのウエブ７１Ａの爪７４に嵌合する係合孔４８が設けられており、（ン）  一方の端縁１２Ａのウエブ７１Ａの爪７４と爪７４の間と、一方の端縁１２Ａのフランジ７２Ａの隣り合う連結孔７３と連結孔７３の間と、他方の端縁１２Ｂのフランジ７２Ｂの隣り合う舌片４６と舌片４６の間が、同じ間隔になっている点にある。
【００２３】
本発明に係る植栽植物保護装置の第１３の特徴は、上記第１、第２、第３、第４、第５、第６、第７、第８、第９、第１０、第１１および第１２の何れかの特徴に加えて、（ド）  網目板１１の端縁１２にフランジ７２が付設されており、（ガ）  規制盤２１の突出端２６が嵌合する差込孔１７が網目板１１に付設されており、（ダ）  網目板１１の差込孔１７に差し込まれて突き出た規制盤２１Ａの突出端２６の先端部分に、止め桿３１Ａを差し込む止め孔２４が付設されている点にある。
【００２４】
本発明に係る植栽植物保護装置の第１４の特徴は、上記第１３の特徴に加えて、（ド）  網目板１１の端縁１２にフランジ７２が付設されており、（ガ）  規制盤２１の突出端２６が嵌合する差込孔１７が網目板１１に付設されており、（ダ）  網目板１１の差込孔１７に差し込まれて突き出た規制盤２１Ａの突出端２６の先端部分に、止め桿３１Ａを差し込む止め孔２４が付設されている点にある。
【００２５】
本発明に係る植栽植物保護装置の第１５の特徴は、上記第１３および第１４の何れかの特徴に加えて、（ズ）  規制盤２１Ａの突出端２６が嵌合する網目板１１の差込孔１７を、端縁１２に直交する方向に長い細長孔とした点にある（図８参照）。
【００２６】
本発明に係る植栽植物保護装置の第１５の特徴は、上記第１〜第１５の何れかの特徴に加えて、（グ）  網目板１１の表面積に占める網目１８の合計面積の面積比率を５０％以上とした点にある。
【発明の効果】
【００２７】
本発明（第１の特徴）によると、植栽植物保護装置は、端縁同士が向き合う方向に網目板を折り曲げ、その彎曲した網目板に固定材袋３１Ａを被せて網目板を彎曲状態に維持し、その向き合う端縁間に規制盤を挿入し、規制盤の周縁２２を彎曲した網目板の内面に彎曲方向に沿って密着させ網目板１１と規制盤２１と固定材３１の何れをも接着せず、或いは、ビス止め・釘打ち固定せずに組み立てることが出来、従って、不使用時には分解して保管することが出来、物流過程で嵩張らない（図１参照）。
その固定材袋３１Ａをプラスチックフイルム製袋とするときは、植栽植物保護装置を簡易温室として植栽植物に被せて使用することが出来る。
固定材袋３１Ａに防虫ネットを適用するときは、植栽植物保護装置を防虫籠として植栽植物に被せて使用することが出来る。
固定材袋３１Ａに遮光ネットを適用するときは、植栽植物保護装置を日除け籠として植栽植物に被せて使用することが出来る。
【００２８】
植栽植物保護装置は、端縁同士が向き合う方向に網目板を折り曲げ、その彎曲した網目板に輪状の固定材３１を被せて網目板を彎曲状態に維持し、その向き合う端縁間に規制盤を挿入し、規制盤の周縁２２を彎曲した網目板の内面に彎曲方向に沿って密着させて組み立てることが出来る（図２参照）。
植栽植物保護装置は、端縁同士が向き合う方向に網目板を折り曲げ、その彎曲して向き合う端縁間に規制盤を挿入し、規制盤の周縁２２を彎曲した網目板の内面に彎曲方向に沿って密着させ、固定材３１で規制盤を網目板に固定して組み立てることも出来る。
このようにして組み立てた植栽植物保護装置は、その上にプラスチックフイルムを被せて簡易温室として使用することが出来、プラスチックフイルムに代えて防虫ネットや遮光ネットを適用することも出来る。
固定材袋３１Ａを使用せずに組み立てられた植栽植物保護装置は、プラスチックフイルムや防虫ネット、遮光ネット等を被せず、それ自体を植物の幹を支えるために使用することも出来る。
【００２９】
植栽植物保護装置は、網目板１１と規制盤２１が直交して密着固定されているので、その一方が他方に支えられて撓むことなく、網目板１１に保護シートを被せて簡易温室して使用する場合でも強風にあおられて揺れ動くことはなく、網目板１１に保護シートを緊張して張設することが出来（図１・図３参照）、構造が安定しているので植物支柱としても使用することも出来る（図２参照）。
このように、本発明の特徴は、平板な部材によって分解・組立自在で不使用時に嵩張らない立体的な植栽植物保護装置が得られる点にある。
【００３０】
本発明（第２の特徴）によると、網目板１１が彎曲して形状の安定した曲面を構成するので見栄えがよく、観葉植物に保護シートを適用するのに好適な植栽植物保護装置が得られる。
【００３１】
本発明（第３の特徴）によると、網目板１１が透視性を有すると共に、規制盤２１も内部空隙口２３の合計総面積の規制盤全体２１の表面積に占める面積比率が３０％以上になっているので、植栽植物保護装置全体が透視性と通気性に富み、それが植栽植物の観賞・観察や水遣りの妨げになることはない（図２・図８参照）。
【００３２】
本発明（第４の特徴）によると、固定材３１が袋３１Ａであり、その固定材袋３１Ａの内部に彎曲した網目板１１が納められており、その固定材袋３１Ａの無端状に続く内側周面３２に網目板１１が弾性的に密着し、固定材袋３１Ａが網目板１１からの弾性的反力を受けて常に緊張状態に置かれることになるので、植栽植物の美観を損なうことがなく、その固定材袋３１Ａに防虫ネットを適用するときは、そのまま防虫籠として使用することが出来、又、固定材袋３１Ａにプラスチックフイルムを適用するときは、そのまま簡易温室として使用し得る植栽植物装置が得られる（図１・図３参照）。
【００３３】
本発明（第５の特徴）によると、固定材袋３１Ａに包み込まれている網目板の嵌合溝１４・１４に周縁２２・２２を嵌め合わせ、Ｕ字形に彎曲した網目板１１の内側に規制盤２１を押し込めば、その規制盤２１によって彎曲端縁間が押し広げられて固定材袋３１Ａが緊張し、その固定材袋３１Ａとして使用する保護シートを簡便に張設することが出来、網目板１１が固定材袋３１Ａから受ける締圧力（タガ張圧力）と規制盤２１から受ける押し返し圧力（反力）によって表裏から挟持され、その彎曲した形状が安定に維持される（図１・図３参照）。
その固定材袋３１Ａには、ゴミ袋等に汎用されるプラスチック製袋、所謂ビニール袋を使用することが出来る点でも、本発明は実用てきである。
【００３４】
本発明（第６の特徴）によると、固定材３１が嵩張らない止め桿３１Ｂであるため、網目板１１を植物支柱として使用し得、全体が網目になっているので風圧を受けて揺れ動くことのない植栽植物保護装置が得られる（図２参照）。
【００３５】
本発明（第７と８と１１と１２の特徴）によると、大きい網目板１１をプラスチックによって成形するために大型射出成形機を必要とせず、複数の網目板を繋ぎ合わせることによって、植栽植物保護装置を簡便に大型にすることが出来る。
【００３６】
本発明（第７の特徴）によると、仕切板１９を嵌込溝４４に合わせ、突き合わせた端縁１２Ａ・１２Ｂを溝に落とし込み、舌片５１を差込孔４５に差し込むだけで網目板１１Ａと網目板１１Ｂが連結されるので、その連結作業に手間取らない（図４参照）。
【００３７】
本発明（第８の特徴）によると、突き合わせた連結孔７３Ａ・７３Ｂに舌片４７を押し込み、舌片の係合孔４８に爪７４を係合させて、網目板１１Ａと網目板１１Ｂを強固に連結することが出来る（図５参照）。
【００３８】
本発明（第９の特徴）によると、連結孔７３がウエブ７１とフランジ７２の交わるコーナー部分に設けられており、係合孔４８の舌片の先端側の内縁４９から軸桿４７までの距離ｋが、向き合う２つの端縁１２Ａ・１２Ｂのフランジ７２Ａとフランジ７２Ｂの合計厚みｔと爪７４の網目板本体側の起立面７５からフランジ７２までの距離ｓとの合計寸法（ｔ＋ｓ）に等しくなっているので、舌片４６がウエブ７１に密着し、舌片の係合孔４８が爪７４に密着し、隙間なく網目板１１Ａと網目板１１Ｂを連結することが出来る（図５参照）。
【００３９】
本発明（第１０の特徴）によると、係合孔４８に差し込まれて突き出た舌片４６の先端は、爪７４の斜面７６によってウエブ７１から押し上げられ、舌片の係合孔の内縁４９が爪の先端７７を越えると、舌片の有する弾性回復力が作用して係合孔４８が爪７４に嵌合するので、係合孔４８と爪７４を嵌め合わせる手間が省ける（図５参照）。
【００４０】
本発明（第１１の特徴）によると、網目板の連結孔７３に差し込んだ舌片４６が係合する爪７４を、網目板１１とは別材の保持桿５０に設けたので、連結する２つの網目板１１Ａ・１１Ｂの端縁１２Ａ・１２Ｂを同一形状にすることが出来、多数の網目板の繋ぎ合わせ作業において、その形状の相違によって連結する２つの網目板の端縁１２Ａ・１２Ｂを取り違えることがなく、繋ぎ合わせ作業を効率的に行うことが出来る（図６参照）。
【００４１】
本発明（第１２の特徴）によると、繋ぎ材となる舌片４６を網目板１１に設けたので、網目板１１とは別に溝材４２や押さえ材５２、係合桿６２、或いは、保持桿５０を用意する必要がなく、部品数が少ないので、大型植栽植物保護装置を効率的に組み立てることが出来る（図７参照）。
【００４２】
本発明（第８〜１２の特徴）において、網目板１１は舌片４６と爪７４を内側に向けて折り曲げられ、その折り曲げられて舌片４６に生じる弾性回復力が爪７４に向けて作用するので、爪７４は舌片４６に一層強く嵌合し、植栽植物保護装置が組み立てられた状態において、舌片４６が爪７４から外れることはない。
【００４３】
そのように、舌片４６と爪７４によって連結した網目板１１・１１を、それらの舌片４６や爪７４を内側に向けて彎曲させて使用するとき、爪７４と舌片４６が強く嵌合するので、植栽植物保護装置の不使用時には、網目板１１・１１を外側に向けて彎曲させることによって舌片４６と爪７４の嵌合を解き、連結していた２つの網目板１１Ａ・１１Ｂを分離することが出来る。
従って、複数の網目板１１Ａ・１１Ｂを連結するとしても、そのことによって分解・組立自在な栽植物保護装置が得られると言う本発明の特徴は損なわれない。
【００４４】
本発明（第１３の特徴）によると、プランターに確り係止することが出来る植栽植物保護装置が得られる。
即ち、慣用される多くのプランター８０の周縁は、外側に突き出た縁取り８２に縁取られているので、網目板の端縁にフランジ７２を付設すると、そのフランジ７２をプランターの縁取り８２に引っ掛けることが出来る。
その引っ掛けた状態において、網目板の差込孔１７に規制盤２１Ａの先端部分を差し込めば、規制盤２１Ａとフランジ７２によってプランターの縁取り８２が挟持されることになるので、強風にあおられてもプランター８０から外れることがない（図８参照）。
【００４５】
本発明（第１４の特徴）によると、プランターに更に確り係止することが出来る植栽植物保護装置が得られる。
即ち、慣用される多くのプラスチック製プランター８０の縁取り８２の裏側には周縁溝８１が設けられている。
そこで、網目板１１の端縁１２のフランジ７２にリブ７８を設けると、そのリブ７８がプランター８０の縁取り８２の周縁溝８１に係合し、植栽植物保護装置がプランター８０に確り係止される（図８参照）。
【００４６】
本発明（第１５の特徴）では、規制盤２１Ａの突出端２６が嵌合する網目板１１の差込孔１７を、端縁１２に直交する方向に長い細長孔としたので、規制盤２１Ａの突出端２６を網目板１１の差込孔１７に差し込み易く、差し込んだ規制盤２１Ａによって網目板１１の端縁１２のフランジ７２のリブ７８を吊り上げるようにしてプランター８０の縁取り８２の周縁溝８１に係合させることも可能になる（図８参照）。
【００４７】
網目板の向き合う端縁１２・１２のそれぞれにフランジ７２やリブ７８を設けた植栽植物保護装置は、網目板１１を折り曲げ、その彎曲した内面に規制盤２１を密着させ、固定材３１によって網目板の彎曲状態を固定して組み立ててから、網目板のフランジ７２と規制盤２１の間の隙間にプランターの縁取り８２を合わせ、或いは、網目板のリブ７８をプランターの周縁溝８１に合わせ、網目板の端縁１２に沿ってプランター８０に差し込むように装着することが出来る。
【発明を実施するための最良の形態】
【００４８】
植栽植物保護装置の部材である網目板１１と規制盤２１と固定材３１のみならず、保持桿５０、押さえ材５２、係合桿６２等、植栽植物保護装置の全ての部材をプラスチック製にするとよい。
特に、繋ぎ材４１をプラスチック製にすると、連結孔７３に差し込む舌片４６が弾性変形するので、連結孔７３に差し込み易く、又、舌片４６の係合孔４８を爪７４に嵌め合わせ易くなる（図４・図５・図６・図７参照）。
【００４９】
係合桿６２を舌片５１の先端に係止するためには、舌片５１の先端に係合桿６２の嵌合する孔を設けてもよいし（図４参照）、舌片５１の先端にフックを付設し、そのフックに係合桿６２が係止されるようにしてもよい。
【００５０】
図１と図３に図示するプラスチックフイルムに成る固定材袋３１Ａ、および、図８に図示する網目板１１のフランジ７２にリブ７８を設ける場合を除き、植栽植物保護装置の主材である網目板１１と規制盤２１および固定材３１、並びに、植栽植物保護装置の副資材である繋ぎ材４１、溝材４２、保持桿５０、押さえ材５２、係合桿６２は、全て上下一対の金型を用いたプラスチック射出成形機によって成形することが出来、網目板１１のフランジ７２に横向きの連結孔３７を設ける場合や、溝材４２に横向きの差込孔４５Ａを設ける場合でも上下一対の金型以外の金型、即ち、上下一対の金型に対して正面側や背面側或いは左右側面から作動する金型を必要としない。
そのように、上下一対の金型を使用して得られる平板な主材や副資材によって立体的な植栽植物保護装置が経済的に得られる点でも本発明は実利的である。
【００５１】
上下一対の金型によって網目板１１のフランジ７２に横向きの連結孔３７を設ける場合には、図５Ａおよび図７に図示するように、連結孔３７をウエブ７１からフランジ７２に連続して開け、溝材４２に横向きの差込孔４５Ａを設ける場合も同様とする。
そのように連結孔３７をウエブ７１からフランジ７２に連続した孔にすると、連結された２つの網目板１１Ａ・１１Ｂを、その連結孔３７を中心に外側に向けて彎曲させることが出来、舌片４６と爪７４が外れ易く、その２つの網目板１１Ａ・１１Ｂに分離し易くなる。
【００５２】
上下一対の金型によって規制盤２１をプラスチック射出成形する場合、図２に図示する二重になった規制盤２１の突起２５と止め孔２４は、図８に図示する規制盤２１Ａの突出端２６と止め孔２４のように一重にする。
図２に図示するように、網目板１１の網目１８は、規制盤２１の突起２５を差し込んで突き出す差込孔１７に代用することも出来る。
【００５３】
図２では、網目板１１の外側に突き出る突起２５と止め孔２４を規制盤２１に突設し、止め桿３１Ｂを止め孔２４に差し込んで、規制盤２１の周縁２２を網目板１１の仕切材１９に密着固定している。
そのように止め桿３１Ｂによって規制盤２１の周縁２２を網目板１１の仕切材１９に密着固定するためには、網目板１１の内面に図２に図示する突起２５と止め孔２４と同様の突起と止め孔を設けると共に、止め桿３１Ｂの嵌合する止め孔を規制盤２１の周縁部に設け、網目板１１の止め孔と規制盤２１の止め孔に止め桿（３１Ｂ）を差し込み、その止め桿（３１Ｂ）を介して規制盤２１の周縁２２を網目板１１の仕切材１９に密着固定することも出来る。
【００５４】
植栽植物保護装置は、網目板１１をＵ字形に彎曲させ、それと植物の上に被せるようにして使用してもよいし（図１・図２・図８参照）、網目板１１を円筒形に彎曲させ、その円筒内に植物を納めるようにして使用することも出来る（図３参照）。
【００５５】
図３は、網目板１１を円筒形に彎曲させて固定材袋３１に入れ、網目板１１の有する弾性回復力によって固定材袋内（３１）で拡張させ、その拡張した網目板１１の円筒内に中心部が突き出た半円筒の籠形規制盤２１を嵌め込み、籠形規制盤２１の周縁２２によって網目板１１の片側の彎曲端縁１３を円形に膨らませると共に、固定材袋３１の開口側に位置する網目板１１の片側には円筒形規制盤２１を嵌め込んで彎曲端縁１３を円形に膨らませたドーム形の植栽植物保護装置を図示する。
この場合、網目板１１の向き合う端縁１２と端縁１２とは、図４〜図７に図示する繋ぎ材４１や舌片４６と爪４１によって連結することが出来る。
【００５６】
図３に図示するように、向き合う端縁１２と端縁１２を繋ぎ材４１や舌片４６と爪４１によって連結して円筒形にした網目板１１を、その片側の彎曲端縁１３を円形規制盤２１の周縁２２によって円形に膨らませ、他の片側の彎曲端縁１３を円筒形規制盤２１の周縁２２によって円形に膨らませた円筒形の植栽植物保護装置では、図９に図示するように、その円形規制盤２１を底板とし、その円筒形網目板１１の上側開口に植木鉢を嵌め込んでフラワースタンドとして使用することが出来、又、傘立て、屑入れに、或いは、円筒形に組み立てた植栽植物保護装置の内側にプラスチック製の不透水性透明袋（所謂ビニール袋）を入れて水槽や金魚鉢に利用し、或いは又、円筒形に組み立てた植栽植物保護装置の上側開口を縁取る円筒形規制盤２１に台盤を載せて椅子やテーブルに使用することが出来る。
その場合、底板となる下側の円筒形規制盤２１の外周にはリブやフランジ等のステップ２０を突設する一方、その突出したステップ２０が網目板１１の下側彎曲端縁１３に引っ掛かって抜け出さないように、下側の円筒形規制盤２１のステップ２０に係合するステップ２９を下側彎曲端縁１３の内面に突設する。
【００５７】
図９に図示するように、上側の円形規制盤２１の底面には網目板１１の上側彎曲端縁１３に嵌合する底溝２８を設けると共に、網目板１１の上側彎曲端縁１３に係合する鈎３７を設け、上側の円形規制盤２１が網目板１１から外れ難くする。
円筒形に組み立てた植栽植物保護装置をフラワースタンドとして使用する場合、その下側の規制盤２１に石その他の重量物を載せ、植木鉢に強い風圧が作用しても倒れないようにし、又、図９に図示するように、上側の円形規制盤２１の内面には凹凸２７を付設し、植木鉢の周面に規制盤２１の内面が点接触するようにする。
【００５８】
円筒形に組み立てた植栽植物保護装置を屑入れとして使用する場合、図９に図示するように、上側の円形規制盤２１の外周には蓋に係合する耳３８を突設するとよい。
【００５９】
図１〜図９には、仕切材１９によって仕切られた均等な矩形網目１８の網目板１１を図示しているが、網目１８の形状は、長方形、菱形、三角形、円形、楕円形、星形でもよい。
特に、フラワースタンドや傘立てに利用される植栽植物保護装置では、大小異なる形状の網目１８によって網目板１１に所要の図柄を描出することが出来、又、仕切材１９を平板にし、その周囲を絵柄・模様状に縁取って、網目板１１に所要の図柄を描出することも出来る。
【００６０】
図柄は、図９に図示するように、装飾片６０として別途構成し、その裏面に網目板１１の網目１８や仕切材１９に係合するフック６１を設け、係脱自在に網目板１１に装着すると、装飾片６０を取り換えて植栽植物保護装置のデザインを一新し、その美観を楽しむことが出来、又、デザインの異なる種々の網目板１１を品揃えする必要もなく、同一規格の網目板１１を量産が可能になるので、栽植物保護装置を安価に提供することが出来る。
仕切材１９は、太さが５ｍｍ前後の桿状にし、網目１８の内部寸法をタテ・ヨコ各３０ｍｍ前後とし、網目板１１の表面積に占める網目１８の合計面積の面積比率を７０％以上にするとよい。
【００６１】
植栽植物保護装置を円筒形に組み立てる場合、特に、図３に図示する簡易温室以外のフラワースタンドや傘立て、屑入れ、水槽、金魚鉢、椅子、テーブルに利用或いは使用する場合（図９参照）、網目板１１が押し潰されたり変形することなく円筒形の状態を維持することが出来るようにするために、上下一対の円形規制盤２１・２１は必須であるが、突き合わせる端縁１２Ａと端縁１２Ｂは舌片４６と爪４１によって連結することが出来るので、固定材３１は必ずしも必要とされない。
【００６２】
このように、上下一対の金型を使用して立体的な植栽植物保護装置や植栽に必要な種々の商品が経済的に得られる点で、本発明は頗る実利的である。
【図面の簡単な説明】
【００６３】
【図１】本発明に係る植栽植物保護装置の一部切截斜視図である。
【図２】本発明に係る植栽植物保護装置の一部切截斜視図である。
【図３】本発明に係る植栽植物保護装置の一部切截斜視図である。
【図４】本発明に係る網目板の分解組立斜視図である。
【図５】本発明に係る網目板の分解組立斜視図である。
【図６】本発明に係る繋ぎ材の分解組立斜視図である。
【図７】本発明に係る網目板の分解組立斜視図である。
【図８】本発明に係るプランターに設置された植栽植物保護装置の斜視図であり、その要部を円で囲んで拡大して図示している。
【図９】本発明に係るフラワースタンドの斜視図であり、その要部を円で囲んで拡大して図示している。
【符号の説明】
【００６４】
１１：網目板
１２：端縁
１３：彎曲端縁
１４：嵌合溝
１５：溝底
１６：彎曲部
１７：差込孔
１８：網目
１９：仕切材
２０：ステップ
２１：規制盤
２２：周縁
２３：空隙口
２４：止め孔
２５：突起
２６：突出端
２７：凹凸
２８：底溝
２９：ステップ
３１：固定材
３１Ａ：袋
３１Ｂ：止め桿
３２：内側周面
３３：底部
３７：鈎
３３：耳
４１：繋ぎ材
４２：溝材
４３：起立壁
４４：嵌込溝
４５：差込孔
４６：舌片
４７：軸桿
４８：係合孔
４９：内縁
５０：保持桿
５１：舌片
５２：押さえ材
６０：装飾片
６１：フック
６２：係合桿
７１：ウエブ
７２：フランジ
７３：連結孔
７４：爪
７５：起立面
７６：斜面
７７：先端
７８：リブ
８０：プランター
８１：周縁溝
８２：縁取り
【図１】
2009159877.tif 000003
【図２】
2009159877.tif 000004
【図３】
2009159877.tif 000005
【図４】
2009159877.tif 000006
【図５】
2009159877.tif 000007
【図６】
2009159877.tif 000008
【図７】
2009159877.tif 000009
【図８】
2009159877.tif 000010
【図９】
2009159877.tif 000011